(57)【要約】【課題】被検査部の体温を、測定に適切な温度にすることが可能で、外気温や被検査部の体温が低い場合にも、安定した測定が可能な携帯式医療用測定装置を提供する。【解決手段】被検査指を挿入する被検査指挿入穴（１３）の内壁で、指を挟む位置関係の発光部（２ａ）および受光部（２ｂ）からなる光学式センサが配置され、被検査指を温める加温手段として電気ヒーター（８ａ）、（８ｂ）を有し、被検査部の温度を測定する手段（４）を有し、検出した温度により前記加温手段の強度を制御する。さらに、被検査部から脈拍信号の強度を測定する手段を有し、測定した脈拍信号の強度により前記加温手段の強度を制御することが望ましい。さらに、外気温を測定する手段を有し、測定された外気温により前記加温手段の強度を調整することが望ましい。【選択図】          図１
2004344368.tif 000002
【特許請求の範囲】
【請求項１】
被検査者の被検査部を温める加温手段を有することを特徴とする携帯式医療用測定装置。
【請求項２】
前記加温手段が電気ヒーターであり、被検査部の温度を測定する手段を有し、検出した温度により前記加温手段の強度を制御することを特徴とする請求項１に記載の携帯式医療用測定装置。
【請求項３】
被検査部から脈拍信号の強度を測定する手段を有し、測定した脈拍信号の強度により前記加温手段の強度を制御することを特徴とする請求項１または２に記載の携帯式医療用測定装置。
【請求項４】
外気温を測定する手段を有し、測定された外気温により前記加温手段の強度を調整することを特徴とする請求項１から３のいずれかに記載の携帯式医療用測定装置。
【発明の詳細な説明】
【０００１】
【発明の属する技術分野】
本発明は、被検査者の被検査部から動脈血酸素飽和度や脈拍数等を測定する携帯式医療用測定装置に関する。
【０００２】
【従来の技術】
従来は、動脈血酸素飽和度や脈拍数等を測定するための医療用の測定装置として、表示器を有する測定装置本体に、指を被検査体として、指に装着するセンサが内臓されたプローブを、コードで繋いだ測定装置が一般的であった。さらに、近年、測定回路を構成する素子の小型化に伴い、例えば、特表平１０−５０２２６８号公報や、特開２００１−１７４０４号公報に示されるように、センサと表示器とが一体になった独立型の測定装置が開発されている。
【０００３】
特表平１０−５０２２６８号公報に記載された測定装置では、第１ハウジングおよび第２ハウジングを、スプリングで付勢して、離接可能に一体化し、２つのハウジングにより被検査指を狭持し、いわゆるクリップ式構造を採用している。センサは、第１ハウジングに取り付けられた発光体と、第２ハウジングに取り付けられた受光体とからなり、被検査指を透過した光を測定することにより、動脈血酸素飽和度や、脈拍数等を計測可能とする。測定結果は、第１ハウジングに取り付けられた表示器に示される。
【０００４】
特開２００１−１７４０４号公報に記載された測定装置では、ハウジングに指挿入孔が開けられ、指挿入孔に挿入した指と、親指とにより本体を保持し、かつ、親指で操作できるスイッチを本体に備え、いわゆる指挿入式構造を採用している。一対の発光体と受光体とから構成されるセンサは、指挿入孔の上部と下部とに対峙して取り付けられ、被検査指を透過した光を測定することにより、動脈血酸素飽和度や脈拍数等を測定することができる。測定結果は、ハウジングに取り付けられた表示器に示される。
【０００５】
しかしながら、外気温が低かったり、被検査者の被検査部の体温が低い場合には、脈拍の信号が弱まる。パルスオキシメータが脈動を利用して動脈血酸素濃度（ＳｐＯ２値）を測定しているため、このように脈動が弱いと、動脈血酸素濃度の正確な測定が困難となる問題があった。
【０００６】
【特許公報１】
特表平１０−５０２２６８号公報
【０００７】
【特許公報２】
特開２００１−１７４０４号公報
【０００８】
【発明が解決しようとする課題】
本発明は、被検査部の体温を、測定に適切な温度にすることが可能で、外気温や被検査部の体温が低い場合にも、安定した測定が可能な携帯式医療用測定装置を提供することを目的とする。
【０００９】
【課題を解決するための手段】
本発明の携帯式医療用測定装置は、被検査者の被検査部を温める加温手段を有する。
【００１０】
前記加温手段が電気ヒーターであり、被検査部の温度を測定する手段を有し、検出した温度により前記加温手段の強度を制御することが望ましい。
【００１１】
さらに、被検査部から脈拍信号の強度を測定する手段を有し、測定した脈拍信号の強度により前記加温手段の強度を制御することが望ましい。
【００１２】
さらに、外気温を測定する手段を有し、測定された外気温により前記加温手段の強度を調整することが望ましい。
【００１３】
【発明の実施の形態】
図１は、本発明に係る携帯式医療用測定装置の１実施例を示し、それぞれ（ａ）はその正面図、（ｂ）はその背面図、（ｃ）はその斜視図である。図２は、本発明に係る測定装置における制御回路のブロック図であり、図３は、当該測定装置を右手で使用している状態を示す正面図である。
【００１４】
本発明に係る携帯式医療用測定装置は、被検査者の指（Ｆ１）を挿入する被検査指挿入穴（１３）が開き、被検査指挿入穴（１３）の内壁で、指（Ｆ１）を挟む位置関係の発光部（２ａ）および受光部（２ｂ）からなる光学式センサが配置され、メインスイッチ（１２）と、該光学式センサで測定される動脈血酸素飽和度などを表示可能な表示器（３）と、温度センサ（４）と、音声装置（６）と、ＲＯＭ（７）と、ヒータ（８ａ）、（８ｂ）と、該ヒータ用のドライバ（９）と、メインスイッチ（１２）と、これらを制御する制御装置（５）が取り付けられる。また、電源はセンサ用とヒータ用共用の電池であり、電源部はメインスイッチ（１２）を介して制御装置（５）に接続される。  制御装置（５）は、各構成要素と電気的に接続される。
【００１５】
構造的には、表示器（３）が取り付けられる第１ケーシング（１１ａ）と、一部が、作動電源となる電池を装填および取出しが可能なように取り外しできる蓋（１１ｃ）である第２ケーシング（１１ｂ）とを、対向させて固定する。被検査指挿入穴（１３）の開口部周囲には、肌を傷めないように、ガイド（１１ｄ）を設ける。第１ケーシング（１１ａ）と第２ケーシング（１１ｂ）は、ハート型の形状の意匠を有する。
【００１６】
光学式センサは、動脈血酸素飽和度を測定する公知の技術により使用可能な素子を使用し、発光部（２ａ）としては、例えばＬＥＤ（Ｋｉｎｇ  Ｂｒｉｇｈｔ社製、型式ＫＡ）を採用でき、受光部（２ｂ）としては、例えばＰＤ（モリリカ社製、型式ＭＢＣ）を採用できる。
【００１７】
光学式センサを配置する位置関係の一態様としては、受光部（２ｂ）を、被検査指挿入穴（１３）に挿入された被検査者の指（Ｆ１）の先の腹側で中央に配置し、対向する位置に発光部（２ａ）を配置する。発光部（２ａ）から発した光は、被検査指（Ｆ１）を透過することにより変化し、受光部（２ｂ）が光の変化を感知して、脈拍数、動脈血酸素飽和度脈拍レベルを演算する。脈拍数および動脈血酸素飽和度の演算アルゴリズムは、周知の技術により行う。脈拍レベルは、脈拍の強弱を意味し、適当に決定する。制御装置（５）は、例えばマイコン（日立社製、型式ＨＤ）を採用できる。光学式センサを配置する位置関係としては、発光部（２ａ）と受光部（２ｂ）が逆であってもよい。
【００１８】
本発明の光学式センサは、外乱光を受けにくい状態で設置が可能であるが、さらに、外乱光ノイズ防止のために、光学式センサを囲むケーシングを透過し難い材料、例えば、ガラスフィラー入りポリカーボネート（ＰＥ）樹脂等で覆い、遮光性の高い色の塗料や、被膜の厚い塗料で塗装してもよい。
【００１９】
前記ヒーター（８ａ）、（８ｂ）は、被検査指挿入穴（１３）に挿入された指（Ｆ１）を温める加温手段として用いる。ヒーター（８ａ）、（８ｂ）としては、通電により発熱するニクロム線または同等品を束ねた形でよく、例えば繊維状面発熱体（コスモテック社製、型式ＦＫ）を採用できる。ドライバ（９）は、ヒーター（８ａ）、（８ｂ）の仕様に合わせて用意するが、前述の例では省略できる。配置の一態様として、指（Ｆ１）を挟む位置関係で２箇所に設けた例を図示したが、ヒーターの数および位置は、任意でよい。ヒータ（８ａ）、（８ｂ）の加温は、３８℃〜４５℃の範囲で行う。したがって、ヒータ（８ａ）、（８ｂ）用の電源は、センサその他の構成要素と共用できる。
【００２０】
温度センサ（４）は、被検査指挿入穴（１３）に挿入された指（Ｆ１）の温度を測定する位置に配置する。温度センサ（４）は、例えば熱電対（ＬＡＢ  ＦＡＣＩＬＩＴＹ社製、型式Ｚ２−Ｋ−１Ｍ）を採用できる。位置および向きなどは、使用する温度センサにより決定する。
【００２１】
さらに、外気温を測定するセンサ（図示略）を備える。
【００２２】
表示器（３）は、２桁の動脈血酸素飽和度表示欄（３ａ）、３桁の脈拍数表示欄（３ｂ）、および○マークからなる脈拍レベル表示欄（３ｃ）が表示可能となるように設計した液晶表示器を使用する。なお、脈拍レベル表示欄（３ｃ）は、図示したように複数の○マークで構成して、分かりやすくしてもよい。
【００２３】
メインスイッチ（１２）は、押圧式スイッチで、このメインスイッチ（１２）が押されることにより、表示器（３）を起動する。同時に、前述のように脈拍数、動脈血酸素飽和度および脈拍レベルを演算して、表示器（３）に表示する。あるいは、メインスイッチ（１２）を備えずに、前述の光学式センサにより、被検査指（Ｆ１）が挿入されたことを検知して、代替させてもよい。
【００２４】
音声装置（６）は、表示器（８）の起動および停止に合わせて、確認音または音声を発生させたり、測定中に脈拍のタイミングで動作音を発生させる。音声装置（６）は、例えばブザー（村田社製、型式７ＢＢ）を採用できる。
【００２５】
ＲＯＭ（７）は、例えばマイコン（日立社製、型式Ｈ８／３００Ｌ）を採用でき、前述のような動作を制御装置（５）が実行可能な制御プログラムを記憶する。
【００２６】
本発明の使用方法について説明する。図３に示したように、被検査指挿入穴（１３）に人差し指（Ｆ１）を差し込み、親指（Ｆ２）とで挟むように、本発明の携帯式医療用測定装置を持ち、親指の先でメインスイッチ（１２）を押すと、前述のように、確認音とともに表示器（３）が起動し、脈拍に合った動作音の後、測定された脈拍数、動脈血酸素飽和度および脈拍レベルが、表示器（３）に表示される。表示は、メインスイッチ（１２）が再び押されたことにより停止するようにしてもよいが、一定時間後に停止するように予め設定しておいてもよい。あるいは、指（Ｆ１）が抜かれたことを検知して表示器（３）を停止してもよい。さらに、挿入する指（Ｆ１）は、人差し指、中指、薬指などのいずれでもよい。
【００２７】
表示器（３）の起動とともに、温度センサ（４）により、指（Ｆ１）の温度を測定する。測定された温度が低い場合には、設定された目標温度との差をマイコン（日立社製、型式Ｈ８／３００Ｌ）で演算し、指（Ｆ１）を温めるヒーター（８ａ）、（８ｂ）の電力をフィードバック制御する。フィードバック制御の回路は、たとえば、マイコンにより制御する。
【００２８】
また、光学式センサにより測定された脈拍レベルが弱い場合にも、設定された目標の脈拍レベルとの差を演算し、指（Ｆ１）を温めるヒーター（８ａ）、（８ｂ）の電力をフィードバック制御する。
【００２９】
さらに、外気温を測定する温度センサ（図示略）により、外気温を測定し、測定された外気温が低い場合には、設定された目標温度との差を演算し、指（Ｆ１）を温めるヒーター（８ａ）、（８ｂ）の電力をフィードバック制御する。
【００３０】
ＲＯＭ（７）には、正常な動脈血酸素飽和度の範囲、脈拍数の範囲、被検査指の温度範囲、および外気温の温度範囲などを記憶させておき、測定値がこの範囲を逸脱した時には、音声装置（６）により警告音または音声を発生させるようにしてもよい。
【００３１】
以上、説明したように、本発明により、被検査指を適切な温度に温めることが可能で、外気温や指先の温度が低い場合などにも、安定した測定値が得られるので、極めて利便性が高い。
【００３２】
【発明の効果】
以上、説明したように、本発明により、被検査指を適切な温度に温めることが可能で、外気温や指先の温度が低い場合などにも、安定した測定値が得られる。
【００３３】
従って、病院や在宅医療、救急医療の際、または登山や球技、ランニングなどのスポーツを行う際にも使用することができる。
【図面の簡単な説明】
【図１】（ａ）は、本発明の１実施例を示す正面図であり、（ｂ）はその背面図、（ｃ）はその斜視図である。
【図２】本発明に係る測定装置における制御回路のブロック図である。
【図３】図１に示した実施例の右手で使用する状態を示す正面図である。
【符号の説明】
２ａ、２ｂ  光学式センサ
３  表示器
３ａ  動脈血酸素飽和度表示欄
３ｂ  脈拍数表示欄
３ｃ  脈拍レベル表示欄
４  温度センサ
５  制御装置
６  音声装置
７  ＲＯＭ
８ａ、８ｂ  ヒーター
９  ドライバ
１１ａ  第１ケーシング部
１１ｂ  第２ケーシング部
１１ｃ  蓋
１１ｄ  ガイド
１２  メインスイッチ
１３  被検査指挿入穴
Ｆ１  被検査指
Ｆ２  親指
【図１】
2004344368.tif 000003
【図２】
2004344368.tif 000004
【図３】
2004344368.tif 000005